(57)【要約】【課題】  反転させることにより、櫛歯が閉じた状態及び櫛歯が開いた状態の切り替えが可能な留め具であって、開いた櫛歯と反転部材との間に毛髪を容易に挿入することができ、かつより多くの毛髪を挿入することができる留め具を提供する。  【解決手段】  弾性板状部材から形成され、変形していない初期状態において、対向する２つの長辺部４ａ、４ｂと対向する２つの短辺部４ｃ、４ｄから構成された略四辺形の平面形状を有するとともに、長辺部及び短辺部の間または短辺部の中間に短辺部の長手方向に伸びる１つの離間領域Ｙを有し、離間領域Ｙの両側に連結領域Ｘ、Ｘ’を有する反転部材４と、反転部材４の変形により重ね合わされた連結領域Ｘ、Ｘ’を連結する連結部と、一方の長辺部４ａに一端が固定された複数の櫛歯６と、を備えた留め具を提供する。【選択図】  図１
2017160550.tif 000002
【特許請求の範囲】
【請求項１】
弾性板状部材から形成され、変形していない初期状態において、対向する２つの長辺部と対向する２つの短辺部から構成された略四辺形の平面形状を有するとともに、前記長辺部及び前記短辺部の間または前記短辺部の中間に前記短辺部の長手方向に伸びる１つの離間領域を有し、前記離間領域の両側に連結領域を有する反転部材と、
前記反転部材の変形により重ね合わされた前記連結領域を連結する連結部と、
一方の前記長辺部に一端が固定された複数の櫛歯と、
を備えたことを特徴とする留め具。
【請求項２】
前記初期状態における前記一方の長辺部の長さをＷとし、
前記初期状態から重ね合わされる状態までの前記連結領域の移動量をＤとすると、
０．１５  ≦  Ｄ／Ｗ  ≦  ０．１７の関係を有することを特徴とする請求項１に記載の留め具。
【請求項３】
前記櫛歯の自由端に頭部を備え、
前記頭部が他方の前記長辺部が存在する領域に位置することを特徴とする請求項１または２に記載の留め具。
【請求項４】
前記櫛歯の自由端に頭部を備え、
前記頭部の少なくとも一部が前記略四辺形の平面形状よりも外側に位置し、前記櫛歯のその他の部分が前記略四辺形の平面形状の領域に位置することを特徴とする請求項１または２に記載の留め具。
【請求項５】
前記他方の長辺部に摩擦部材が備えられていることを特徴とする請求項３または４に記載の留め具。
【請求項６】
前記初期状態において、
他方の前記長辺部と前記短辺部との間に前記離間領域を有し、
前記他方の長辺部の前記連結領域が、前記他方の長辺部の長手方向が前記一方の長辺部の長手方向と平行な場合に比べて、前記一方の長辺部からより離れて配置されていることを特徴とする請求項１から５の何れか１項に記載の留め具。
【請求項７】
前記初期状態において、前記他方の長辺部の中央部が前記一方の長辺部に近づく方向に湾曲して形成されていることを特徴とする請求項６に記載の留め具。
【発明の詳細な説明】
【技術分野】
【０００１】
本発明は、対象物を挟み込んで固定する留め具であって、特に、擬毛が植設されたかつらベースを使用者の頭部に固定するために適用可能な留め具に関する。
【背景技術】
【０００２】
擬毛が植設されたかつらベースを使用者の頭部に固定するため、かつら用の留め具が用いられる場合がある。このかつら用留め具は、縫い糸等によりかつらベースの裏面側（使用者の頭部に接する側）に取り付けられ、かつら用留め具で使用者の毛髪を挟み込むことにより、かつらベースを使用者の頭部に固定することができる。そのようなかつら用留め具の中には、複数の櫛歯が取り付けられた反転部材を用いたものが提案されている（例えば、特許文献１参照）。
【先行技術文献】
【特許文献】
【０００３】
【特許文献１】国際公開ＷＯ２００７／１２９７０８号
【発明の概要】
【発明が解決しようとする課題】
【０００４】
特許文献１に記載のかつら用留め具の反転部材では、複数の櫛歯が取り付けられた支持片、及びこの支持片の両端部から突出した一対の脚片を有するコの字形の部材と、両側の脚片を内方に牽引する連結片により、反転可能な湾曲形状が形成されている。櫛歯が反転部材と接する閉じた状態から、反転部材を反対側に反り返るように反転させることにより、反転部材に対して櫛歯が開き、使用者の毛髪を開いた櫛歯と反転部材との間に挿入することができる。そして、再び櫛歯が閉じる方向に反転させることによって、使用者の毛髪を櫛歯と反転部材との間で挟み込んで固定することができる。
【０００５】
特許文献１に記載のかつら用留め具では、連結片により両側の脚片が内方に牽引されるとき、脚片が支持片との接続部分を中心に回転するように捻られる。この場合、脚片の長さは支持片の長さに比べて短いので、捻られた脚片の先端部が移動する距離は短く、反転部材の変形量も限定的である。
よって、連結片により変形させた反転部材を反転させても、反転部材に対して櫛歯が開く角度は比較的小さい。従って、かつら装着時に、使用者が開いた櫛歯と反転部材との間に毛髪を挿入するのは難しく、挟み込める毛髪の量も限定的である。  
【０００６】
本発明の目的は、上記の課題を解決するものであり、反転させることにより、櫛歯が閉じた状態及び櫛歯が開いた状態の切り替えが可能な留め具であって、開いた櫛歯と反転部材との間に毛髪を容易に挿入することができ、かつより多くの毛髪を挿入することができる留め具を提供することを目的とする。  
【課題を解決するための手段】
【０００７】
上記の課題を解決するため、本発明に係る留め具は、
弾性板状部材から形成され、変形していない初期状態において、対向する２つの長辺部と対向する２つの短辺部から構成された略四辺形の平面形状を有するとともに、前記長辺部及び前記短辺部の間または前記短辺部の中間に前記短辺部の長手方向に伸びる１つの離間領域を有し、前記離間領域の両側に連結領域を有する反転部材と、
前記反転部材の変形により重ね合わされた前記連結領域を連結する連結部と、
一方の前記長辺部に一端が固定された複数の櫛歯と、
を備えている。
【発明の効果】
【０００８】
以上のように、本発明においては、反転させることにより、櫛歯が閉じた状態及び櫛歯が開いた状態の切り替えが可能な留め具であって、開いた櫛歯と反転部材との間に毛髪を容易に挿入することができ、かつより多くの毛髪を挿入することができる留め具を提供することができる。  
【図面の簡単な説明】
【０００９】
【図１】本発明の１つの実施形態に係る反転部材を示す模式的な平面図である。
【図２】本発明の１つの実施形態に係る留め具を示す、（ａ）は模式的な平面図であり、（ｂ）及び（ｃ）は（ａ）の矢印Ｂから見た模式的な側面図であって、（ｂ）は櫛歯が閉じた状態を示し、（ｃ）は櫛歯が開いた状態を示す。
【図３】本発明の１つの実施形態に係る留め具と同様な構成の実施例を示す図（写真）であり、（ａ）は平面図、（ｂ）は（ａ）の矢印Ｂから見た側面図（櫛歯が閉じた状態）、（ｃ）は（ａ）の矢印Ｃから見た側面図（櫛歯が開いた状態）を示す。
【図４】本発明のその他の実施形態に係る反転部材を示す模式的な平面図である。
【図５】本発明のその他の実施形態に係る反転部材を示す模式的な平面図である。
【図６】本発明に係る留め具の実施例１を示す図（写真）である。
【図７】本発明に係る留め具の実施例２を示す図（写真）である。
【図８】本発明に係る留め具の実施例３を示す図（写真）である。
【図９】本発明に係る留め具の比較例４を示す図（写真）である。
【図１０】図２と異なる櫛歯の形状を有するその他の実施形態に係る留め具を示す模式的な平面図である。
【図１１】図１０に示すその他の実施形態に係る留め具の実施例を示す図（写真）である。
【図１２】本発明に係る留め具において、反転部材を変形させるときの移動量Ｄ及び一方の長辺部（櫛歯取付部）の長さＷの比率Ｄ／Ｗと、櫛歯が開いたときの距離（最大距離）Ｈとの関係を示すグラフである。
【図１３】本発明に係る留め具において、反転部材を変形させるときの移動量Ｄ及び一方の長辺部の長さＷの比率Ｄ／Ｗと、櫛歯が開いたときの開口角度θとの関係を示すグラフである。
【図１４】本発明に係る留め具が取り付けられたかつらを模式的に示す平面図である。
【発明の詳細な説明】
【００１０】
本発明の実施態様１に係る留め具は、
弾性板状部材から形成され、変形していない初期状態において、対向する２つの長辺部と対向する２つの短辺部から構成された略四辺形の平面形状を有するとともに、前記長辺部及び前記短辺部の間または前記短辺部の中間に前記短辺部の長手方向に伸びる１つの離間領域を有し、前記離間領域の両側に連結領域を有する反転部材と、前記反転部材の変形により重ね合わされた前記連結領域を連結する連結部と、一方の前記長辺部に一端が固定された複数の櫛歯と、を備えている。
【００１１】
長辺部及び短辺部の間に離間領域を有するとき、複数の櫛歯が固定された一方の長辺部と短辺部との間に離間領域を有する場合も、複数の櫛歯が固定されていない他方の長辺部と短辺部との間に離間領域を有する場合もあり得る。また、短辺部の中間に離間領域を有する場合には、短辺部の任意の位置に離間領域を有することができる。
【００１２】
本実施態様では、複数の櫛歯が固定された反転部材を、その平面（広面）に対して垂直方向に湾曲するように変形させることにより、初期状態で離間領域の両側に配置された連結領域を重ね合わせることができる。そして、重ね合わされた連結領域を、連結部材を用いて互いに連結することにより、留め具を形成することができる。このような留め具では、使用者が反転部材を反対側に反り返るように反転させることにより、複数の櫛歯の先端が反転部材に接した閉じた状態及び複数の櫛歯の先端が反転部材から離間した開いた状態の切り替えができる。使用者が反転の操作を行わないときは、反転部材の弾性力により各々の状態を維持することができる。  
【００１３】
特に、本実施態様では、離間領域が短辺部の長手方向に伸びているので、離間領域の両側の連結領域を重ね合わせるように変形させるとき、長さ（長手方向の寸法）の長い長辺部が短辺部との接続部分を中心に回転するように捻られる。回転中心となる辺部と辺部の接続部分における回転角度（捻れ角度）が同じであっても、回転する（捻られる）辺部の長さが長い方が回転の先端部における移動距離が大きくなる。つまり、全体として反転部材４がより大きく変形することになる。よって、変形した状態で連結した反転部材では、反転をさせたときの逆方向に湾曲する角度の差が大きくなる。
【００１４】
よって、櫛歯が開いた状態で、櫛歯及び反転部材のなす開口角度を大きくとることができる。これにより、櫛歯が反転部材に固定された根元部分の近傍まで毛髪を挿入することができるので、より多くの毛髪を挿入することができる。また、櫛歯が開いた状態における開口角度が大きいので、櫛歯の先端と反転部材との間の距離を大きくとることができる。これにより、開いた櫛歯と反転部材との間に毛髪を容易に挿入することができる。
【００１５】
本発明の実施態様２に係る留め具は、上記の実施態様１において、
前記初期状態における前記一方の長辺部の長さをＷとし、
前記初期状態から重ね合わされる状態までの前記連結領域の移動量をＤとすると、
０．１５  ≦  Ｄ／Ｗ  ≦  ０．１７の関係を有する。
【００１６】
櫛歯が取り付けられた一方の長辺部の長さＷに対する、初期状態から重ね合わされる状態までの連結領域の移動量をＤの比率Ｄ／Ｗは、その値が大きいほど反転部材が大きく変形することを意味する。従って、櫛歯が開いた状態で、櫛歯及び反転部材のなす角度をより大きくとることができ、櫛歯の先端と反転部材との間の距離を大きくとることができる。これにより、開いた櫛歯と反転部材との間に毛髪を容易に挿入することができ、開いた櫛歯と反転部材との間により多くの毛髪を挿入することができる。
一方、変形量が大きくなっていくと、反転部材の耐久性が低下する傾向や、反転部材を反転させるのに要する力が大きくなって操作性が低下する傾向も見られるようになる。
【００１７】
これらを総合的に考慮すると、後述するように、Ｄ／Ｗを０．１５以上０．１７以下の範囲の値にすることによって、髪を挿入する容易さ及び挿入可能な毛髪量において好ましく、耐久性及び操作性においても好ましい留め具を提供することができる。  
なお、移動量Ｄは、離間領域の両側の連結領域に設けられた穴であって、連結部が挿入される連結穴の中心間距離で表すことができる。
【００１８】
本発明の実施態様３に係る留め具は、上記の実施態様１または２において、
前記櫛歯の自由端に頭部を備え、前記頭部が他方の前記長辺部が存在する領域に位置している。
【００１９】
本実施態様では、櫛歯の軸部の一部及び先端の頭部が他方の長編部が存在する領域に位置しているので、櫛歯が閉じた状態において、櫛歯の軸部及び櫛歯の頭部と、他方の長辺部との間で、確実に毛髪を保持することができる。また櫛歯が他方の長辺部よりも先に伸びていないので、かつら装着時に、櫛歯がかつらのネットに干渉する恐れがない。
【００２０】
本発明の実施態様４に係る留め具は、上記の実施態様１または２において、
前記櫛歯の自由端に頭部を備え、
前記頭部の少なくとも一部が前記略四辺形の平面形状よりも外側に位置し、前記櫛歯のその他の部分が前記略四辺形の平面形状の領域に位置している。
【００２１】
本実施態様では、櫛歯の先端の頭部の少なくとも一部を略四辺形の平面形状よりも外に配置することにより、かつら装着時に自髪をすくい易くするとともに、頭部を可能な限り、他方の長辺部に接近させることにより、かつら装着時に、櫛歯がかつらネットに干渉することを抑制することができる。
【００２２】
本発明の実施態様５に係る留め具は、上記の実施態様３または４において、
前記他方の長辺部に摩擦部材が備えられている。
【００２３】
本実施態様では、他方の長辺部に摩擦部材が備えられているので、櫛歯が閉じた状態において、櫛歯と摩擦部材との間で毛髪を保持する力が増し、より確実に毛髪を保持することができる。他方の長辺部の幅寸法を大きくとり、その全域に摩擦部材を備える場合には、櫛歯の頭部だけでなく櫛歯の軸部も用いて、より広い範囲で櫛歯と摩擦部材との間で毛髪を保持することができる。
【００２４】
本発明の実施態様６に係る留め具は、上記の実施態様１から５の何れかにおいて、
前記初期状態において、他方の前記長辺部と前記短辺部との間に前記離間領域を有し、
前記他方の長辺部の前記連結領域が、前記他方の長辺部の長手方向が前記一方の長辺部の長手方向と平行な場合に比べて、前記一方の長辺部からより離れて配置されている。
【００２５】
本実施態様では、他方の長辺部が一方の長辺部と平行な場合に比べて、他方の長辺部の連結領域が一方の長辺部からより離れて配置されているので、初期状態から反転部材を変形させるとき、反転部材をより大きく変形させて、連結領域を連結することができる。
よって、形成された留め具において、櫛歯が開いた状態で、櫛歯及び反転部材のなす角度をより大きくとることができ、櫛歯の先端と反転部材との間の距離を大きくとることができる。
【００２６】
本発明の実施態様７に係る留め具は、上記の実施態様６において、
前記初期状態において、前記他方の長辺部の中央部が前記一方の長辺部に近づく方向に湾曲して形成されている。
【００２７】
本実施態様では、初期状態において、他方の長辺部の中央が一方の長辺部に近づく方向に湾曲して形成されているので、反転部材がより大きくスムーズに反転するように、変形させることができる。よって、形成された留め具において、櫛歯が開いた状態で、櫛歯及び反転部材のなす角度をより大きくとることができ、櫛歯の先端と反転部材との間の距離を大きくとることができる。
【００２８】
次に、本発明の実施形態に係る留め具について、以下に図面を用いながら詳細に説明する。
(１つの実施形態に係る留め具の説明）
図１から図３を参照しながら、本発明の１つの実施形態に係る留め具の説明を行う。はじめに、留め具の主要部材である反転部材について詳細に説明し、その後、留め具全体について詳細に説明する。
【００２９】
図１は、本発明の１つの実施形態に係る反転部材４を示す模式的な平面図である。図２は、本発明の１つの実施形態に係る留め具２を示す、（ａ）は模式的な平面図であり、（ｂ）及び（ｃ）は（ａ）の矢印Ｂから見た模式的な側面図であって、（ｂ）は櫛歯６が閉じた状態を示し、（ｃ）は櫛歯６が開いた状態を示す。図３は、本発明の１つの実施形態に係る留め具２同様な構成の実施例を示す図（写真）であり、（ａ）は平面図、（ｂ）は（ａ）の矢印Ｂから見た側面図（櫛歯が閉じた状態）、（ｃ）は（ａ）の矢印Ｃから見た側面図（櫛歯が開いた状態）を示す。
【００３０】
＜１つの実施形態に係る反転部材の説明＞
図１は、変形させる前の初期状態における反転部材４の平面形状を示す。この初期状態から、矢印Ｘ、Ｘ’で示す連結領域が重なるように反転部材４を変形させて、締結部材１０で締結することにより、図２に示すような留め具２を形成することができる。
反転部材４は、弾性材料である金属薄板から形成される。図１に示すように、反転部材４は、初期状態において、対向する２つの長辺部４ａ及び４ｂと対向する２つの短辺部４ｃ及び４ｄから構成された略四辺形の平面形状を有する。図面で下側の長辺部４ａには、複数の櫛歯６が片持ちの状態で固定されている。長辺部４ａを一方の長辺部４ａと称し、櫛歯取付部４ａと称することもできる。
長辺部４ａと対向した位置に配置された長辺部４ｂを他方の長辺部４ｂと称し、図２（ａ）を用いて後述するように、摩擦部材２０が取り付けられるので、摩擦体装着部４ｂと称することもできる。また、一方の長辺部（櫛歯取付部）４ａの図面で右側の端部に繋がった短辺部４ｃを１つの短辺部４ｃと称し、一方の長辺部（櫛歯取付部）４ａの図面で左側の端部に繋がった短辺部４ｄを他の短辺部４ｄと称する。
【００３１】
１つの短辺部４ｃ及び他の短辺部４ｄは、一方の長辺部（櫛歯取付部）４ａの長手方向から概ね直交する同じ方向に伸びている。一方の長辺部（櫛歯取付部）４ａ、他方の長辺部（摩擦体装着部）４ｂ、１つの短辺部４ｃ及び他の短辺部４ｄは、他方の長辺部（摩擦体装着部）４ｂの端部と他の短辺部４ｄの端部との間を除いて、端部で互いに繋がっている。他方の長辺部（摩擦体装着部）４ｂの端部と他の短辺部４ｄの端部との間には、離間領域を有する。
【００３２】
別の表現をすれば、一方の長辺部（櫛歯取付部）４ａの両端部で１つの短辺部４ｃ及び他の短辺部４ｄが繋がり、１つの短辺部４ｃの反対側の端部で、他方の長辺部（摩擦体装着部）４ｂと繋がっている。他方の長辺部（摩擦体装着部）４ｂは、一方の長辺部（櫛歯取付部）４ａと対向するように１つの短辺部４ｃとの接続部分（矢印Ｚ参照）から伸びている。
そして、他方の長辺部（摩擦体装着部）４ｂの自由端側の端部と、他の短辺部４ｄの自由端側の端部の間に、矢印Ｙで示す離間領域を有する。この離間領域（矢印Ｙ参照）は、他の短辺部４ｄの長手方向に伸びている。
【００３３】
離間領域（矢印Ｙ参照）の両側には、反転部材４が変形したとき互いに重ね合わされる連結領域が設けられている。他方の長辺部（摩擦体装着部）４ｂの自由端側の端部に矢印Ｘで示す連結領域が設けられ、この連結領域（矢印Ｘ参照）に連結穴１２が設けられている。他の短辺部４ｄの自由端側の端部に矢印Ｘ’で示す連結領域が設けられ、この連結領域（矢印Ｘ’参照）に連結穴１４が設けられている。
【００３４】
本実施形態では、他方の長辺部（摩擦体装着部）４ｂの連結領域（矢印Ｘ参照）が、他方の長辺部（摩擦体装着部）４ｂの長手方向が一方の長辺部（櫛歯取付部）４ａの長手方向と平行な場合に比べて、一方の長辺部（櫛歯取付部）４ａからより離れて配置されている。これにより、他の短辺部４ｄの長さを短くすることなく、大きな離間領域（矢印Ｙ参照）を確保することができる。
更に、矢印Ａで示すように、他方の長辺部（摩擦体装着部）４ｂの中央部が一方の長辺部（櫛歯取付部）４ａに近づく方向に湾曲して形成されている。つまり、中央部が略四辺形の内側に凸となるように湾曲して形成されている。
【００３５】
また、他方の長辺部（摩擦体装着部）４ｂの幅寸法は、その他の辺部４ａ、４ｃ、４ｄよりも大きく形成されている。他方の長辺部（摩擦体装着部）４ｂには、肉抜き穴２２が２箇所設けられており、これにより、他方の長辺部（摩擦体装着部）４ｂは、それぞれ４ｂ１、４ｂ２、４ｂ３で示す３つの領域から構成されている。この肉抜き穴２２により、反転部材４の軽量化が図られ、反転部材４を変形し易くしている。
また、反転部材４の全体に、５個の取付用穴２４が設けられている。取付用穴２４に縫い糸等を通して、留め具２をかつらベース等に縫い付けることができる。
【００３６】
金属製の複数の櫛歯６は、軸部６ａ及び軸部６ａより径の大きい頭部６ｂから構成されている。櫛歯６の軸部６ａは、頭部６ｂのある側と反対側の端部において、溶接（例えば、ろう付け）で反転部材４に固定されている。つまり、櫛歯６は、片持ちの状態で反転部材４に固定されている。ただし、固定方法は、溶接に限られるものではなく、締結部材を用いて機械的に固定することもできるし、その他の任意の固定方法を採用することができる。
櫛歯６は、湾曲した凹凸の形状が反対向きになるように反転可能に形成された反転部材４において、１つの状態では、櫛歯６、特に櫛歯６の頭部６ｂが反転部材４と接する閉じた状態となり、反対側に反転させた場合には、櫛歯６が反転部材４から所定の角度で持ち上がった開いた状態となるように、反転部材４に固定されている。
【００３７】
このことを、図２及び図３を用いて説明する。図２（ａ）は、図１に示す反転部材４を変形（湾曲）させて、連結領域（矢印Ｘ、Ｘ’参照）を重ねあわせて、連結部材で連連結した状態を示す平面図である。
図２（ｂ）及び（ｃ）は、図２（ａ）の矢印Ｂから見た模式的な側面図であって、（ｂ）は櫛歯６が閉じた状態を示し、（ｃ）は櫛歯６が開いた状態を示す。図２（ｂ）に示すように、反転部材４が図面で下が凸となるように湾曲した状態が、櫛歯６、特に櫛歯６の頭部６ｂが反転部材４に接する櫛歯６が閉じた状態である。一方、反転部材４を反対方向に反転させて、図２（ｃ）に示すように、反転部材４が図面で上が凸となるように湾曲した状態にすると、櫛歯６が反転部材４から離間した櫛歯が開いた状態になる。各々の状態は、反転部材４の弾性力によって維持されるようになっている。よって、櫛歯６が開いた状態で、毛髪を櫛歯６と反転部材４との間に挿入し、その後、櫛歯６を閉じれば、その状態が維持されるので、毛髪を櫛歯６と反転部材４との間で確実に保持（把持）することができる。
【００３８】
図３に示す実施例では、図３（ａ）は、図２（ａ）と同様な平面図であり、図３（ｂ）も図２（ｂ）と同様に、櫛歯６が閉じた状態を示す図３（ａ）の矢印Ｂから見た側面図である。
一方、図３（ｃ）は、櫛歯が開いた状態を示す図３（ａ）の矢印Ｃから見た側面図であり、櫛歯６が開いた状態が明確に示されている。図３（ｃ）では、長さＬの櫛歯６が、反転部材４に対して開口角度θだけ開き、その結果、櫛歯６の頭部６ｂが反転部材４から距離Ｈだけ離間しているところを示す。櫛歯６の長さＬは、反転部材４との固定部分（溶接部分）を除いた長さであり、Ｈ＝Ｌ×Ｓｉｎθの関係を有する。
【００３９】
＜反転部材の変形の説明＞
図１に示す初期状態において、他方の長辺部（摩擦体装着部）４ｂに設けられた連結穴１２及び他の短辺部４ｄに設けられた連結穴１４の位置が一致するように、反転部材４を変形（湾曲）させ、その状態において、連結穴１２及び連結穴１４に連結部材１０を挿入することにより、重なり合った連結領域（矢印Ｘ、Ｘ’参照）を連結することができる。例えば、連結部材１０として金属製リベットを用いて、リベット挿入後、挿入した先端部を塑性変形させて連結することができる。つまり、”かしめる”ことにより連結することができる。
【００４０】
ただし、連結方法はこれに限られるものではなく、例えば、ボルト、ナットのようなその他の連結部材用いて機械的に連結することもできるし、溶接によって連結することができる。ただし、連結部材１０を用いた方が、重ね合わされた連結領域が相対的に動く余裕があるので、より操作性に優れると考えられる。
【００４１】
次に、反転部材４の連結穴１２及び連結穴１４の位置が一致するように、反転部材４を変形（湾曲）させる態様について、更に詳細に述べる。
初期状態における反転部材４の平面に対して直交する方向（つまり図１で紙面に対して上下方向）に反転部材４が湾曲するように、反転部材４を変形させる。このとき、離間領域（矢印Ｙ参照）が短辺部（特に、他の短辺部４ｄ）の長手方向に伸びているので、離間領域（矢印Ｙ参照）の両側の連結領域（矢印Ｘ、Ｘ’参照）を重ね合わせるように変形させるとき、長さ（長手方向の寸法）の長い長辺部４ａ、４ｂが、１つの短辺部４ｃとの接続部分（矢印Ｚ、Ｚ’参照）を中心に回転するように捻られる。この動きを、図１の点線の矢印で模式的に示す。回転中心となる辺部と辺部の接続部分における回転角度（捻れ角度）が同じであっても、回転する（捻られる）辺部の長さが長い方が回転の先端部分における移動距離が大きくなる。つまり、全体として反転部材４がより大きく変形することになる。よって、変形した状態で連結した反転部材４では、反転をさせたときの逆方向に湾曲する角度の差が大きくなる。
【００４２】
よって、図３（ｃ）に示すような櫛歯６が開いた状態で、櫛歯６及び反転部材４のなす開口角度θを大きくとることができる。これにより、櫛歯６が反転部材４に固定された根元部分の近傍まで毛髪を挿入することができるので、より多くの毛髪を挿入することができる。また、櫛歯６が開いた状態における開口角度θが大きいので、櫛歯６の先端と反転部材４との間の距離Ｈを大きくとることができる。これにより、開いた櫛歯６と反転部材４との間に毛髪を容易に挿入することができる。
【００４３】
図１に示す初期状態における連結穴１２の中心及び連結穴１４の中心の間の距離Ｄがゼロとなるように、反転部材４を変形させる。つまり、連結領域（矢印Ｘ、Ｘ’参照）の初期状態から重ね合わされる状態までの変形量が距離Ｄと一致する。図１に示すように、一方の長辺部（櫛歯取付部）４ａの長さをＷとすると、初期状態から重ね合わされる状態までの移動量Ｄの一方の長辺部（櫛歯取付部）４ａの長さＷに対する比率をＤ／Ｗで表すことができる。
【００４４】
Ｄ／Ｗの値は反転部材４を変形させる度合いを示す指標となり、基本的にＤ／Ｗの値が大きい方が変形させる度合いが大きい。よって、形成された留め具２では、Ｄ／Ｗの値が大きいと、櫛歯６が開いたとき、櫛歯６及び反転部材４のなす開口角度のθが大きくなり、櫛歯６の先端部（頭部６ｂ）と反転部材４との距離Ｈを大きくとることができる。ただし、移動量Ｄが大きくなるにつれて、反転部材４の耐久性が低下する傾向が見られ、反転部材４を反転させるのに要する力も大きくなる。
よって、Ｄ／Ｗを適切な範囲内の収めることにより、開いた櫛歯６と反転部材４との間に毛髪を容易に挿入することができ、かつ開いた櫛歯６と反転部材４との間により多くの毛髪を挿入できる耐久性及び操作性の点でも好ましい留め具２を提供できる。
【００４５】
初期状態から重ね合わされる状態までの移動の方向は、他の短辺部４ｄの長手方向に一致するので、一方の長辺部（櫛歯取付部）４ａの長手方向に対して概ね直交した方向になる。ただし、厳密に直交する必要はなく、後述するように、反転部材４の変形時の連結領域の移動方向は、一方の長辺部（櫛歯取付部）４ａの長手方向に直交する方向に対して、所定の角度範囲内にあればよい。
【００４６】
＜１つの実施形態に係る留め具の説明＞
以上のようにして、変形した状態で連結領域が連結された反転部材４は、離間領域を有さない四辺からなる略矩形の形状を有する。
図２（ａ）から明らかなように、櫛歯６の頭部ｂが、他方の長辺部（摩擦体装着部）４ｂが存在する領域に位置している。これにより、櫛歯６の軸部６ａの一部及び先端の頭部６ｂが他方の長辺部（摩擦体装着部）４ｂが存在する領域に位置しているので、櫛歯６が閉じた状態において、櫛歯６の軸部６ａ及び櫛歯の頭部６ｂと、他方の長辺部（摩擦体装着部）４ｂとの間で、確実に毛髪を保持することができる。また櫛歯が他方の長辺部よりも先に伸びていないので、かつら装着時に、櫛歯がかつらのネットに干渉する恐れがない。
【００４７】
ただし、櫛歯６の長さ及び頭部ｂの位置は、図２に示す場合に限られない。図１０は、図２と異なる櫛歯の形状を有するその他の実施形態に係る留め具を示す模式的な平面図である。また、図１１は、図１０に示すその他の実施形態に係る留め具の実施例を示す図（写真）である。
図１０及び図１１に示すように、櫛歯６の頭部ｂの少なくとも一部が、対向する２つの長辺部４ａ、４ｂ及び対向する２つの短辺部４ｃ、４ｄから構成された略四辺形の平面形状よりも外側に位置し（つまり、他の長辺部４ｂより外側に位置し）、櫛歯６のその他の部分が略四辺形の平面形状の領域に位置している場合もあり得る。このことは、櫛歯６の頭部ｂのみ、または櫛歯６の頭部ｂの一部のみが、他方の長辺部４ｂよりも先に伸びているということもできる。
【００４８】
櫛歯６が略四辺形の平面形状よりも外に飛び出している方が、かつら装着時に自髪をすくい易いが、一方、飛び出し量が大きいと、かつらのネットに櫛歯６が引っかかる可能性もある。そこで本実施形態では、櫛歯６の先端の頭部６ｂの少なくとも一部を略四辺形の平面形状よりも外に配置することにより、かつら装着時に自髪をすくい易くするとともに、頭部６ｂを可能な限り、他方の長辺部（摩擦体装着部）４ｂに接近させることにより、かつら装着時に、櫛歯６がかつらネットに干渉することを抑制することができる。
なお、櫛歯６の頭部ｂだけでなく、頭部６ｂに近接した軸部６ａの限られた領域（例えば、頭部６ｂとの境界から長さ１ｍｍ以内の領域）も、略四辺形の平面形状よりも外に位置する場合においても、上記とほぼ同様な作用効果を奏する。
【００４９】
なお、櫛歯６の軸部６ｂの外径が同一であれば、櫛歯６の基部（反転部材４との取り付け部分）における曲げモーメントは同一なので、櫛歯６の長さが短い方が、櫛歯６の先端における反転部材４側への押し付け力は大きくなる。一方、櫛歯６の長さが長い場合には、摩擦部材２０の設置領域を大きく取れるので、その点において毛髪の保持力が向上する。
図２や図１０に示す実施形態では、何れも、櫛歯６の先端における押し付け力及び摩擦部材２０の設置領域（長さ）に関し、バランスの取れた櫛歯６の長さを採用しているといえる。
【００５０】
また、反転部材４の他方の長辺部（摩擦体装着部）４ｂの全面に摩擦部材２０が備えられている。摩擦部材２０には、シリコンをはじめとするゴム、エラストマやウレタンといった摩擦係数の高い弾性材料を用いることができる。
例えば、チューブ状に形成された摩擦部材２０を、初期状態において、離間領域（矢印Ｙ参照）から挿入して、他方の長辺部（摩擦体装着部）４ｂを覆うように装着して、その後、反転部材４を変形させて連結することにより、反転部材４の他方の長辺部（摩擦体装着部）４ｂに摩擦部材２０を備えることができる。ただし、これに限られるものではなく、反転部材４を変形させて連結した後、接着等により摩擦部材２０を他方の長辺部（摩擦体装着部）４ｂに取り付けることもできる。
【００５１】
本実施形態では、他方の長辺部（摩擦体装着部）４ｂに摩擦部材２０が備えられているので、櫛歯６が閉じた状態において、櫛歯６と摩擦部材２０との間で毛髪を保持する力が増し、より確実に毛髪を保持することができる。上述のように、他方の長辺部（摩擦体装着部）４ｂの幅寸法が大きくとられているので、その全域に摩擦部材２０を備えることにより、櫛歯６の頭部６ｂだけでなく櫛歯６の軸部ａも用いて、より広い範囲で、櫛歯６と摩擦部材２０との間で毛髪を保持することができる。
なお、図１０及び図１１に示す場合でも、摩擦部材２０が他方の長辺部（摩擦体装着部）４ｂの少し外側まで存在するので、櫛歯６の頭部ｂと摩擦部材２０との間で毛髪を保持することができる。
【００５２】
上述のように図１（ａ）に示す初期状態の反転部材４では、他方の長辺部（摩擦体装着部）４ｂの連結領域（矢印Ｘ参照）が、他方の長辺部（摩擦体装着部）４ｂの長手方向が一方の長辺部（櫛歯取付部）４ａの長手方向と平行な場合に比べて、一方の長辺部（櫛歯取付部）４ａからより離れて配置されている。これにより、他の短辺部４ｄの長さを短くすることなく、大きな離間領域（矢印Ｙ参照）を確保することができる。
更に、より大きな離間領域（矢印Ｙ参照）を確保できるので、初期状態から反転部材４を変形させるとき、反転部材４をより大きく変形させて、連結領域（矢印Ｘ、Ｘ’参照）を連結することができる。よって、形成された留め具２において、櫛歯６が開いた状態で、櫛歯６及び反転部材４のなす開口角度θをより大きくとることができ、櫛歯６の先端（頭部６ｂ）と反転部材４の間の距離Ｈを大きくとることができる。
【００５３】
また、上述のように図１（ａ）に示す初期状態の反転部材４では、他方の長辺部（摩擦体装着部）４ｂの中央部が一方の長辺部（櫛歯取付部）４ａに近づく方向に湾曲して形成されている（矢印Ａ参照）よって、反転部材４がより大きくスムーズに反転するように、変形させることができる。従って、形成された留め具２において、櫛歯６が開いた状態で、櫛歯６及び反転部材４のなす開口角度θをより大きくとることができ、櫛歯６の先端（頭部６ｂ）と反転部材４との間の距離Ｈを大きくとることができる。
【００５４】
反転部材４や櫛歯６を構成する金属材料としては、ステンレス鋼、炭素鋼、アルミニウム、銅、チタンといった金属材料を用いることができる。更に、金属薄板の表面にコーティングを行うこともでき、特に、金属表面のコーティングが金属アレルギに対応するために有効である。装着時の感触を改善するため、例えばラバータッチのコーティングを施すこともできるし、用途に合わせてその他の任意の材料をコーティングすることができる。
【００５５】
反転部材４の寸法について述べれば、厚みとして、０．５〜２ｍｍを例示することができ、Ｗに対応する長辺部側の長さとして、２０〜５０ｍｍを例示することができ、短辺部側の長さとして、１５〜３０ｍｍを例示することができる。また、櫛歯６の長さとして、１０〜３０ｍｍを例示することができ、櫛歯６の軸部６ａの外径として、０．３〜２ｍｍを例示できる。ただし、これらの寸法はかつらに適用する場合の例示であって、用途に応じて、その他の任意の寸法を採用することができる。
【００５６】
（その他の実施形態に係る反転部材の説明＞
次に、図４及び図５を参照しながら、本発明のその他の実施形態に係る反転部材４の説明を行う。図４及び図５は、それぞれ、本発明のその他の実施形態に係る反転部材４を示す模式的な平面図である。
【００５７】
＜図４に示す実施形態の説明＞
図４に示すその他の実施形態に係る反転部材４は、図１に示す１つの実施形態に係る反転部材４と近似した形状を有する。ただし、図１に示す反転部材４では、図面で上側の他方の長辺部（摩擦体装着部）４ｂの端部（矢印Ｘ参照）と他の短辺部４ｄの端部（矢印Ｘ’参照）との間に、離間領域（矢印Ｙ参照）を有するが、図４に示す反転部材４では、図面で下側の一方の長辺部（摩擦体装着部）４ａの端部（矢印Ｘ’参照）と、他の短辺部４ｄの端部（矢印Ｘ参照）との間に、離間領域（矢印Ｙ参照）を有する点で異なる。このため、図４に示すその他の実施形態に係る反転部材４では、他方の長辺部（摩擦体装着部）４ｂと他の短辺部４ｄと繋がった構造を有する。
【００５８】
反転部材４を変形（湾曲）させるとき、基本的には、図１に示す１つの実施形態に係る反転部材４と同様に、長さ（長手方向の寸法）の長い長辺部４ａ、４ｂが、１つの短辺部４ｃとの接続部分（矢印Ｚ、Ｚ’参照）を中心に回転するように捻られるので（点線の矢印参照）、反転部材４をより大きく変形させることができる。
なお、その他の形状いついては、図１に示す１つの実施形態に係る反転部材４と同様なので、更に詳細な説明は省略する。
【００５９】
＜図５に示す実施形態の説明＞
図５に示すその他の実施形態に係る反転部材４は、初期状態において、対向する２つの長辺部４ａ、４ｂと対向する２つの短辺部４ｃ、４ｄとから構成された略四辺形の平面形状を有し、図面で下側の一方の長辺部４ａに複数の櫛歯６が固定されている点で、図１及び図４に示す実施形態に係る反転部材４と同様である。ただし、他の短辺部４ｄの中間に短辺部４ｄの長手方向に伸びる１つの離間領域（矢印Ｙ参照）を有している点で、図１及び図４に示す実施形態に係る反転部材４と異なる。このため、長辺部４ａ、４ｂと短辺部４ｃ、４ｄとは、全て端部で繋がっている。
【００６０】
反転部材４を変形（湾曲）させるとき、基本的には、図１に示す１つの実施形態に係る反転部材４と同様に、長さ（長手方向の寸法）の長い長辺部４ａ、４ｂが、１つの短辺部４ｃとの接続部分（矢印Ｚ、Ｚ’参照）を中心に回転するように捻られるので（点線の矢印参照）、反転部材４をより大きく変形させることができる。
なお、その他の形状等については、図１及び図４に示す実施形態に係る反転部材４と概ね同様なので、更に詳細な説明は省略する。
【００６１】
（比率Ｄ／Ｗと櫛歯が開いたときの距離Ｈとの関係の説明）
次に、図６から図９を参照しながら、上述の比率Ｄ／Ｗの適切な範囲について説明する。図６は、図１に示す本発明の１つの実施形態に係る反転部材を有する留め具の実施例１を示す図（写真）である。図７は、図５に示す本発明のその他の実施形態に係る反転部材を有する留め具の実施例２を示す図（写真）である。図８は、図５に示す本発明のその他の実施形態に係る反転部材を有する留め具の実施例３を示す図（写真）である。図９は、図１に示す本発明の１つの実施形態に係る反転部材を有する留め具の実施例４を示す図（写真）である。
【００６２】
図６に示す実施例１では、初期状態における反転部材の一方の長辺部（櫛歯取付部）の長さＷが４０．５ｍｍであり、反転部材を変形させるときの移動量Ｄの値が６．８５ｍｍである。よって、移動量Ｄの長辺部（櫛歯取付部）の長さＷに対する比率であるＤ／Ｗの値は０．１６９となる。このとき、開いた状態の櫛歯の先端部及び反転部材との間の距離（最大距離）Ｈ（中央の櫛歯で最大距離になる）は、９．３ｍｍであった。溶接部を除く櫛歯の長さＬが１１ｍｍなので、櫛歯の軸部及び反転部材がなす開口角度θは５８度となる。
【００６３】
つまり、図６に示す実施例１では、毛髪を挿入する開いた櫛歯の開口高さＨが９．３ｍｍであり、開口角度θは５８度である。実際に使用者が毛髪を挿入する試験を行うと、容易に毛髪が挿入できる開口高さＨを有し、十分な量の毛髪を挿入することができる開口角度θを有するという好ましい判定結果が得られた。また、反転部材を繰り返し反転させる試験でも、耐久性及び操作性の点で好ましい判定結果が得られた。
【００６４】
図７に示す実施例２では、初期状態における反転部材の一方の長辺部（櫛歯取付部）の長さＷが３５．５ｍｍであり、反転部材を変形させるときの移動量Ｄの値が４．９ｍｍである。よって、移動量Ｄの長辺部（櫛歯取付部）の長さＷに対する比率であるＤ／Ｗの値は０．１３８となる。このとき、開いた状態の櫛歯の先端部及び反転部材との間の距離（最大距離）Ｈは、４．９ｍｍであった。溶接部を除く櫛歯の長さＬが１６ｍｍなので、櫛歯の軸部及び反転部材がなす開口角度θは１８度となる。
【００６５】
つまり、図７に示す実施例２では、毛髪を挿入する開いた櫛歯の開口高さＨが４．９ｍｍであり、開口角度θは１８度である。実際に使用者が毛髪を挿入する試験をすると、髪を挿入することはできるが、実施例１のレベルには達せず、毛髪を挿入する量についても、実施例１のレベルには達していないことが判明した。
つまり、実用上は使用可能であるが、毛髪を挿入する容易さや挿入可能な毛髪量に関して、実施例１のような好ましい判明結果は得られなかった。一方、反転部材を繰り返し反転させる試験では、耐久性や操作性において、実施例１と同様な好ましい判定結果が得られた。
【００６６】
図８に示す実施例３では、初期状態における一方の長辺部（櫛歯取付部）の長さＷが４８．５ｍｍであり、反転部材を変形させるときの移動量Ｄの値が５．５５ｍｍである。よって、移動量Ｄの長辺部（櫛歯取付部）の長さＷに対する比率であるＤ／Ｗの値は０．１１４となる。このとき、開いた状態の櫛歯の先端部及び反転部材との間の距離（最大距離）Ｈは、４．７ｍｍであった。溶接部を除く櫛歯の長さＬが１６ｍｍなので、櫛歯の軸部及び反転部材がなす開口角度θは１７度となる。
【００６７】
つまり、図８に示す実施例３では、毛髪を挿入する開いた櫛歯の開口高さＨが４．７ｍｍであり、開口角度θは１７度である。実際に使用者が毛髪を挿入する試験をすると、髪を挿入することはできるが、実施例１のレベルには達せず、毛髪を挿入する量についても、実施例１のレベルには達しないことが判明した。
つまり、実用上は使用可能であるが、毛髪を挿入する容易さや挿入可能な毛髪量に関して、実施例１のような好ましい判明結果は得られなかった。一方、反転部材を繰り返し反転させる試験では、耐久性や操作性において、実施例１と同様な好ましい判定結果が得られた。
【００６８】
図９に示す実施例４では、初期状態における一方の長辺部（櫛歯取付部）の長さＷが４０．５ｍｍであり、反転部材を変形させるときの移動量Ｄの値が７．０ｍｍである。よって、移動量Ｄの長辺部（櫛歯取付部）の長さＷに対する比率であるＤ／Ｗの値は０．１７３となる。このとき、開いた状態の櫛歯の先端部及び反転部材との間の距離（最大距離）Ｈは、１０．３ｍｍであった。溶接部を除く櫛歯の長さＬが１１ｍｍなので、櫛歯の軸部及び反転部材がなす開口角度θは６９度となる。
【００６９】
つまり、図９に示す実施例４では、毛髪を挿入する開いた櫛歯の開口高さＨが１０．３ｍｍであり、開口角度θは６９度である。実際に使用者が毛髪を挿入する試験を行うと、実施例１と同様に、容易に毛髪が挿入できる開口高さＨを有し、十分な量の毛髪を挿入することができる開口角度θを有することが判明した。しかし、反転部材を繰り返し反転させる試験を行ったところ、耐久性や操作性については、実施例１のレベルにまで達していないことが判明した。
つまり、髪を挿入する容易さや挿入可能な毛髪量に関して、実施例１と同様な好ましい判定結果が得られたが、耐久性や操作性において、実施例１のような好ましい判定結果は得られなかった。
【００７０】
以上の結果をまとめると下表のようになる。
2017160550.tif 000003
つまり、髪を挿入する容易さや挿入可能な毛髪量、及び耐久性や操作性において、共に好ましい判定結果が得られたのは、Ｄ／Ｗ＝１．１６９の実施例１だけである。
【００７１】
＜Ｄ／ＷとＨとの関係＞
上記で得られたデータに基づくと、Ｄ／Ｗの値と、櫛歯の先端部及び反転部材との間の距離（最大距離）Ｈとの間について、下記の近似式（三次式）で表すことができる。
Ｈ＝１１，１６０＊（Ｄ／Ｗ）３−２，２６９＊（Ｄ／Ｗ）２＋４，７６０＊（Ｄ／Ｗ）＋１２．３
この式で表されるＤ／Ｗ及びＨの関係を、上記の４つ計測値と共に図１２のグラフに示す。図１２は、本発明に係る留め具において、反転部材を変形させる移動量Ｄ及び一方の長辺部の長さＷの比率Ｄ／Ｗと、櫛歯が開いたときの距離（最大距離）Ｈとの関係を示すグラフである。
【００７２】
＜Ｄ／Ｗとθとの関係＞
同様に、上記で得られたデータに基づくと、Ｄ／Ｗの値と、櫛歯が反転部材から開いた開口角度θとの間について、下記の近似式（三次式）で表すことができる。
θ＝３２２，０７２＊（Ｄ／Ｗ）３−１１，２８９＊（Ｄ／Ｗ）２＋１３，１０３＊（Ｄ／Ｗ）＋４８７
この式で表されるＤ／Ｗ及びθの関係を、上記の４つ計測値と共に図１３のグラフに示す。図１３は、本発明に係る留め具において、反転部材を変形させる移動量Ｄ及び一方の長辺部の長さＷの比率Ｄ／Ｗと、櫛歯が開いたときの開口角度θとの関係を示すグラフである。
【００７３】
距離Ｈは、櫛歯の開き具合だけでなく櫛歯の軸部の長さにも依存するので、開口角度θが、櫛歯の開き具合をより客観的に示しているといえる。様々な開口角度の櫛歯を用いて、実際にかつらを頭に装着する場面を想定して、毛髪を櫛歯と反転部材との間に挿入する試験を行ったところ、開口角度θが２５度以上あるとき、毛髪の挿入の容易さ、及び櫛歯と反転部材との間に挿入する毛髪の量の点で好ましいことを知見した。このことは、上記の４つの試験データとも合致する。
更に、開口角度θが、３５度以上、特に４０度以上あるほうが、毛髪の挿入の容易さ、及び櫛歯と反転部材との間に挿入する毛髪の量の点で更に好ましいことを知見した。
【００７４】
一方、開口角度θが６０度を上回る開口角度を有しても、実用上の毛髪の挿入の容易さや挿入可能な毛髪の量について、あまり影響がないことを知見した。更に、上記の実施例４に示すように、開口角度θが６０度を越えると、反転部材の耐久性や操作性に関して、低下傾向にあることを知見した。
【００７５】
よって、本発明に係るかつら留め具では、反転部材を変形させる移動量Ｄ及び一方の長辺部の長さＷの比率Ｄ／Ｗの値として、図１３のグラフに基づき、開口角度θが２５度以上６０度以下に対応する
０．１５  ≦  Ｄ／Ｗ  ≦  ０．１７（式１）
の関係を有することが好ましいことを知見した。
【００７６】
更に、図１３のグラフに基づき、開口角度θが約４０度以上６０度以下に対応する
０．１６（θ＝３９度に対応）  ≦  Ｄ／Ｗ  ≦  ０．１７（式２）
の関係を有することが更に好ましいことを知見した。
【００７７】
以上のように、０．１５  ≦  Ｄ／Ｗ  ≦  ０．１７（式１）の関係を有すれば、髪を挿入する容易さ、挿入可能な毛髪量、耐久性及び操作性において好ましく、０．１６  ≦  Ｄ／Ｗ  ≦  ０．１７（式２）の関係を有すれば、髪を挿入する容易さ及び挿入可能な毛髪量において更に好ましく、耐久性及び操作性において好ましいことを知見した。
【００７８】
なお、図１１に示す実施例では、実施例１と同様にＤ／Ｗの値は０．１６９となる。また、開いた状態の櫛歯の先端部及び反転部材との間の距離（最大距離）Ｈは、１３ｍｍであった。溶接部を除く櫛歯の長さＬが１６ｍｍなので、櫛歯の軸部及び反転部材がなす開口角度θは５４度となる。つまり、開口角度θが約４０度以上６０度以下であって、０．１６  ≦  Ｄ／Ｗ  ≦  ０．１７の関係を有する。よって、実施例１と同様に、図１１に示す実施例でも、髪を挿入する容易さ、挿入可能な毛髪量、耐久性及び操作性において優れていることが判明した。
【００７９】
初期状態から重ね合わされる状態まで、連結領域が移動量Ｄだけ移動するが、移動する方向は短辺部の長手方向に沿うので、長辺部の長手方向に概ね直交する方向になる。ただし、厳密に直交している必要はなく、例えば、厳密に直交する９０度の方向の移動量を１００％（Ｓｉｎ９０度）とすると、８０度の場合に９８％（Ｓｉｎ８０度）となり、７０度の場合に約９４％（Ｓｉｎ７０度）となる。この程度の範囲内であれば、実質的に上記の（条件式１）、及び（条件式２）を適用可能と考えられる。よって、移動距離Ｄで示す連結領域の移動方向が、長辺部の長手方向に対して７０度以上の角度を有していれば、上術の（条件式１）及び（条件式２）を適用可能であると考えられる。
【００８０】
（留め具が取り付けられたかつらの説明）
次に、図１４を参照しながら、上記のような様々な実施形態に係る留め具が取り付けられたかつらについて説明する。図１４は、本発明に係る留め具２が取り付けられたかつら４０を模式的に示す平面図である。
【００８１】
図１４では、２つの留め具２が、かつらベース３０の裏面側（使用者の頭部に接する側）に取り付けられているところを示す。特に、かつらベース３０の周縁部の近傍であって、使用者の耳の前（こめかみ）の領域に取り付けられている。なお、かつらベース３０に取り付ける留め具２の数は、２つに限らず、用途に応じて任意の数を取り付けることができる。
留め具２をかつらベース３０に取り付ける方法として、留め具２に設けられた複数の取付用穴２４に縫い糸を通して、かつらベース３０に縫い付けることが考えられる。ただし、これに限られるものではなく、他の連結部材を用いることをはじめ、既知の任意の方法で留め具２をかつらベース３０に取り付けることができる。
【００８２】
このようなかつらベース３０に擬毛３２が植設されてかつら４０が形成される。使用者が、このかつら４０を装着するときは、かつらベース３０を頭部に装着した後、耳の前（こめかみ）の領域にある留め具２の櫛歯を開く状態にして、使用者の毛髪を櫛歯と反転部材との間に挿入した後、反転部材を反転させて、毛髪を櫛歯と反転部材との間で挟み込んで保持させる。これにより、かつら４０を安定して頭部に固定することができる。
【００８３】
本発明に係る留め具は、上述のかつらベースを固定する用途だけでなく、固定する対象物を櫛歯と反転部材の間に挿入させ、反転部材を反転させて、反転部材の弾性力で対象物を挟み込んで固定するものであれば、その他の任意の分野で適用することができる。
本発明の実施の形態を説明したが、開示内容は構成の細部において変化してもよく、実施の形態における要素の組合せや順序の変化等は請求された本発明の範囲および思想を逸脱することなく実現し得るものである。  
【符号の説明】
【００８４】
２        留め具
４        反転部材
４ａ      一方の長辺部（櫛歯取付部）
４ｂ      他方の長辺部（摩擦体装着部）
４ｃ      １つの短辺部
４ｄ      他の短辺部
６        櫛歯
６ａ      軸部
６ｂ      頭部
１０      連結部材
１２      連結穴
１４      連結穴
２０      摩擦部材
２２      肉抜き穴
２４      取付用穴
３０      かつらベース
３２      擬毛
４０      かつら
Ｘ、Ｘ’  連結領域
Ｙ        離間領域
Ｚ、Ｚ’  接続部分
【図１】
2017160550.tif 000004
【図２】
2017160550.tif 000005
【図３】
2017160550.tif 000006
【図４】
2017160550.tif 000007
【図５】
2017160550.tif 000008
【図６】
2017160550.tif 000009
【図７】
2017160550.tif 000010
【図８】
2017160550.tif 000011
【図９】
2017160550.tif 000012
【図１０】
2017160550.tif 000013
【図１１】
2017160550.tif 000014
【図１２】
2017160550.tif 000015
【図１３】
2017160550.tif 000016
【図１４】
2017160550.tif 000017
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
弾性板状部材から形成され、変形していない初期状態において、対向する２つの長辺部と対向する２つの短辺部から構成された略四辺形の平面形状を有するとともに、前記長辺部及び前記短辺部の間または前記短辺部の中間に前記短辺部の長手方向に伸びる１つの離間領域を有し、前記離間領域の両側に連結領域を有する反転部材と、
前記反転部材の変形により重ね合わされた前記連結領域を連結する連結部と、
一方の前記長辺部に一端が固定された複数の櫛歯とを備え、
前記初期状態における前記一方の長辺部の長さをＷとし、
前記初期状態から重ね合わされる状態までの前記連結領域の移動量をＤとすると、
０．１５  ≦  Ｄ／Ｗ  ≦  ０．１７の関係を有することを特徴とする留め具。
【請求項２】
前記櫛歯の自由端に頭部を備え、
前記頭部が他方の前記長辺部が存在する領域に位置することを特徴とする請求項１に記載の留め具。
【請求項３】
前記櫛歯の自由端に頭部を備え、
前記頭部の少なくとも一部が前記略四辺形の平面形状よりも外側に位置し、前記櫛歯のその他の部分が前記略四辺形の平面形状の領域に位置することを特徴とする請求項１に記載の留め具。
【請求項４】
前記他方の長辺部に摩擦部材が備えられていることを特徴とする請求項２または３に記載の留め具。
【請求項５】
前記初期状態において、
他方の前記長辺部と前記短辺部との間に前記離間領域を有し、
前記他方の長辺部の前記連結領域が、前記他方の長辺部の長手方向が前記一方の長辺部の長手方向と平行な場合に比べて、前記一方の長辺部からより離れて配置されていることを特徴とする請求項１から４の何れか１項に記載の留め具。
【請求項６】
前記初期状態において、前記他方の長辺部の中央部が前記一方の長辺部に近づく方向に湾曲して形成されていることを特徴とする請求項５に記載の留め具。